(57)【要約】【課題】  本発明が解決しようとする課題は従来実用化されていなかった生体の無侵襲グルコース測定装置を提供することにある。【解決手段】  上記の目的を達成するために、本発明に係わる生体の旋光特性測定装置では、脈拍に同期した波長可変レーザ光をその出力光が左右円偏光状態が周期的に変化するように長さが限定された偏波面保存光ファイバを介して生体に入射させる方法を採用して課題を解決した。【選択図】図２
2011087876.tif 000002
【特許請求の範囲】
【請求項１】
波長が外部トリガに同期して連続的にまたは離散的に変化する直線偏光のレーザ光を偏光の方位を限定して偏波面保存光ファイバに入射し、前記偏波面保存光ファイバからの出力光の偏光状態が左円偏光と右円偏光が周期的に変化するようにして生体に照射し、その透過光または反射光を、直接または多モード光ファイババンドルを介して受光器で受光し、その受光強度の波長特性を測定する測定工程を有することを特徴とする生体の旋光特性測定方法。
【請求項２】
請求項１に記載の生体の旋光特性測定方法において、前記照射光学系を光源の前記レーザ光を直線偏光化して前記偏波面保存光ファイバにその固有偏光軸に対し４５度の方位で入射させ、その伝搬光を生体に照射する光学システムとして構成し、前記光源の波長変化率をΛ／Ｔ（ｎｍ／秒）、光源波長をλ（ｎｍ）、偏光面保存光ファイバのビート長をＢ、被検体としての生体の毎秒当たりの脈拍数をＮｐとしたとき、前記偏波面保存光ファイバの長さＬ（ｍ）を下記の（１ａ）式、
Ｌ＝ＮｐλＢＴ／（２Λ）・・・（１ａ）
で表わされるようにし、光源の波長変化の位相を脈拍に同期させて変化させて測定することを特徴とする生体の旋光特性測定方法。
【請求項３】
請求項１または２に記載の生体の旋光特性測定方法において、前記レーザ光を直線偏光化し前記偏波面保存光ファイバの固有偏光軸に対し４５度の方位で入射させその伝搬光を生体に照射する光学システムとして構成し、前記光源の波長変化範囲をΛ（ｎｍ）、スキャン時間をＴ（秒）、光源の波長をλ（ｎｍ）、偏光面保存光ファイバのビート長をＢ、生体の脈拍周期をＴｐとするとき、Ｔｐの時間内に左円偏光状態と右円偏光状態間で変化するサイクル数が１，０００以上になるように前記偏波面保存光ファイバの長さＬ（ｍ）を下記の（２ａ）式、
Ｌ≧５００λＢ（Ｔ／Ｔｐ）／Λ・・・（２ａ）
で表わされる長さに設定してＴｐの区間ごとに出力の正弦波状の光変化の最大値と最小値をそれぞれ加算して円２色性を測定し生体の旋光特性を推定することを特徴とする生体の旋光特性測定方法。
【請求項４】
波長が外部トリガに同期して連続的にまたは離散的に変化する直線偏光のレーザ光源と、前記レーザ光源からのレーザ光を偏光の方位を限定して入射させて伝搬する偏波面保存光ファイバと、前記偏波面保存光ファイバの出射光を照射する生体配置部と、前記生体からの透過光または反射光を受光して波長特性を測定する測定部と、前記偏波面保存光ファイバの出射光の偏光状態が左円偏光と右円偏光が周期的に変化するように変化させる手段を有することを特徴とする生体の旋光特性測定装置。
【請求項５】
請求項４に記載の生体の旋光特性測定装置において、前記レーザ光源からのレーザ光を偏光の方位を限定して前記偏波面保存光ファイバに入射させる光学系が、前記偏波面保存光ファイバの固有偏光軸に対して４５度の方位で前記レーザ光源からのレーザ光を前記偏波面保存光ファイバに入射さる光学系で、前記光源の波長変化率をΛ／Ｔ（ｎｍ／秒）、光源波長をλ（ｎｍ）、偏光面保存光ファイバのビート長をＢ、被検体としての生体の毎秒当たりの脈拍数をＮｐとしたとき、前記偏波面保存光ファイバの長さＬ（ｍ）が下記の（１ａ）式、
Ｌ＝ＮｐλＢＴ／（２Λ）・・・（１ａ）
で表わされる長さであり、前記生体の旋光特性測定装置が光源の波長変化の位相を脈拍に同期させて変化させて測定する測定系を有することを特徴とする生体の旋光特性測定装置。
【請求項６】
請求項４または５に記載の生体の旋光特性測定装置において、前記レーザ光を直線偏光化し前記偏波面保存光ファイバの固有偏光軸に対し４５度の方位で入射させその伝搬光を生体に照射する光学システムとして構成し、前記光源の波長変化範囲をΛ（ｎｍ）、スキャン時間をＴ（秒）、光源の波長をλ（ｎｍ）、偏光面保存光ファイバのビート長をＢ、生体の脈拍周期をＴｐとするとき、Ｔｐの時間内に左円偏光状態と右円偏光状態間で変化するサイクル数が１，０００以上になるように前記偏波面保存光ファイバの長さＬ（ｍ）を下記の（２ａ）式、
Ｌ≧５００λＢ（Ｔ／Ｔｐ）／Λ・・・（２ａ）
で表わされる長さに設定してＴｐの区間ごとに出力の正弦波状の光変化の最大値と最小値をそれぞれ加算して円２色性を測定し生体の旋光特性を推定することができるように構成されていることを特徴とする生体の旋光特性測定装置。
【請求項７】
請求項４〜６のいずれか１項に記載の生体の旋光特性測定装置において、前記偏波面保存光ファイバの出射光を照射する生体配置部と前記生体からの透過光または反射光を受光する受光部との間に光ファイババンドルを配置したことを特徴とする生体の旋光特性測定装置。
【請求項８】
請求項４〜７のいずれか１項に記載の生体の旋光特性測定装置において、前記光源の出力をモニターするモニター部と、前記モニター部のモニター結果と前記生体からの透過光または反射光の受光結果との比をとる手段を設けたことを特徴とする生体の旋光特性測定装置。
【発明の詳細な説明】
【技術分野】
【０００１】  本発明は生体の旋光特性測定方法ならびに生体の旋光特性測定装置に関するもので、具体的には、生体の糖質の濃度を測定することができ、人の指や耳や皮膚にレーザ光を照射しその透過光または反射光を測定して、採血することなしに、被検体のグルコース濃度を高い測定精度で測定できる低価格の生体の旋光特性測定方法ならびに生体の旋光特性測定装置に関するものである。
【背景技術】
【０００２】  血液中のグルコース濃度測定方法として知られている第１の方法は、特許文献１に記載があるような、指などの生体の一部に赤外レーザ光を照射し、血管からの散乱光を分光し血液に含まれるグルコースを測定するものである。これはグルコース濃度に比例して散乱光が低減することを利用している。しかし、この方法は散乱光の光強度が温度や皮膚の水分や油成分などに依存するという問題があり、広く普及していないのが実情である。第２の方法は、非特許文献１および特許文献２などに記載されているように、グルコースに直交する偏光成分を伝搬させてその複屈折率をオープンループで計測するものである。しかし、この方法では健常者の血糖値レベルである０．１ｇ／ｄＬ程度の血糖値レベルの検体を、長さが１０ｍｍ程度の検体（グルコース）で測定すると誤差が大きい。特に光の散乱損失が非常に大きな生体では測定できない。第３の方法は、特許文献３に記載されている複屈折率測定装置で測定する方法である。この方法は干渉計のリングに非相反光学系を設け、被検体をその内部において検体の旋光度を計測するものである。この方法では厚さ１０ｍｍ程度の検体で健常者の血糖値レベルである０．１ｇ／ｄＬの血糖値レベルを十分な精度で測定できるが、検体の厚さが１ｍｍ以下の微量な血液や太さ０．１ｍｍの血管などの生体の無侵襲計測では十分な測定精度が得られていない。【０００３】  すなわち、現在までに採血をしないで生体のグルコース濃度を測定するいわゆる無侵襲の測定装置は実用化されていない。その理由は生体にレーザ光を入射したときに生じる散乱が非常に大きいので、検出される受光パワーが非常に小さく、生体内や表面に含まれる水や油の影響やわずかな体温変化などによるノイズに埋もれて検体のグルコース濃度を高い精度で測定できなかったことにあった。
【先行技術文献】
【特許文献】
【０００４】
【特許文献１】特開２００４−３１３５５４号公報
【特許文献２】特開２００７−０９３２８９号公報
【特許文献３】２００５−２７４３８０号公報
【非特許文献】
【０００５】
【非特許文献１】（横田  正幸他、「鉛ガラスファイバ偏光変調器を用いたグルコースセンサー」、第３１回光波センシング技術研究会ＬＳＴ３１−８，ＰＰ．５１−５６，２００３年８月
【発明の概要】
【発明が解決しようとする課題】
【０００６】  本発明が解決しようとする課題は、従来実用化されていなかった、生体のグルコース濃度を無侵襲で高い測定精度で測定できる生体の旋光特性測定装置および生体の旋光特性測定方法を提供することにある。
【課題を解決するための手段】
【０００７】  前記課題を解決するためになされた本発明に係わる生体の旋光特性測定装置および生体の旋光特性測定方法の特徴は、主として、その測定方法に、生体の脈拍に同期して波長が変化する波長可変レーザ光をその出力の偏光が左右円偏光が周期的に変化するようにその長さが限定された偏波面保存光ファイバを介して生体に照射する方法を採用したことにある。以下、本発明の例を具体的に説明する。【０００８】  課題を解決するためになされた本発明の例としての第１の発明（以下、発明１という）は、波長が外部トリガに同期して連続的にまたは離散的に変化する直線偏光のレーザ光を偏光の方位を限定して偏波面保存光ファイバに入射し、前記偏波面保存光ファイバからの出力光の偏光状態が左円偏光と右円偏光が周期的に変化するようにして生体に照射し、その透過光または反射光を、直接または多モード光ファイババンドルを介して受光器で受光し、その受光強度の波長特性を測定する測定工程を有することを特徴とする生体の旋光特性測定方法である。【０００９】  特に、本発明では発明１によって無侵襲の生体の旋光特性測定方法を実現し、多大なる効果を奏することが出来た。【００１０】  前記発明１を展開してなされた本発明の例としての第２の発明（以下、発明２という）は、発明１に記載の生体の旋光特性測定方法において、前記照射光学系を光源の前記レーザ光を直線偏光化して前記偏波面保存光ファイバにその固有偏光軸に対し４５度の方位で入射させ、その伝搬光を生体に照射する光学システムとして構成し、前記光源の波長変化率をΛ／Ｔ（ｎｍ／秒）、光源波長をλ（ｎｍ）、偏光面保存光ファイバのビート長をＢ、被検体としての生体の毎秒当たりの脈拍数をＮｐとしたとき、前記偏波面保存光ファイバの長さＬ（ｍ）を下記の（１ａ）式、
Ｌ＝ＮｐλＢＴ／（２Λ）・・・（１ａ）
で表わされるようにし、光源の波長変化の位相を脈拍に同期させて変化させて測定することを特徴とする生体の旋光特性測定方法である。【００１１】  前記発明１または２を展開してなされた本発明の例としての第３の発明（以下、発明３という）は、発明１または２に記載の生体の旋光特性測定方法において、前記レーザ光を直線偏光化し前記偏波面保存光ファイバの固有偏光軸に対し４５度の方位で入射させその伝搬光を生体に照射する光学システムとして構成し、前記光源の波長変化範囲をΛ（ｎｍ）、スキャン時間をＴ（秒）、光源の波長をλ（ｎｍ）、偏光面保存光ファイバのビート長をＢ、生体の脈拍周期をＴｐとするとき、Ｔｐの時間内に左円偏光状態と右円偏光状態間で変化するサイクル数が１，０００以上になるように前記偏波面保存光ファイバの長さＬ（ｍ）を下記の（２ａ）式、
Ｌ≧５００λＢ（Ｔ／Ｔｐ）／Λ・・・（２ａ）
で表わされる長さに設定してＴｐの区間ごとに出力の正弦波状の光変化の最大値と最小値をそれぞれ加算して円２色性を測定し生体の旋光特性を推定することを特徴とする生体の旋光特性測定方法である。【００１２】  課題を解決するためになされた本発明の例としての第４の発明（以下、発明４という）は、波長が外部トリガに同期して連続的にまたは離散的に変化する直線偏光のレーザ光源と、前記レーザ光源からのレーザ光を偏光の方位を限定して入射させて伝搬する偏波面保存光ファイバと、前記偏波面保存光ファイバの出射光を照射する生体配置部と、前記生体からの透過光または反射光を受光して波長特性を測定する測定手段と、前記偏波面保存光ファイバの出射光の偏光状態が左円偏光と右円偏光が周期的に変化するように変化させる手段を有することを特徴とする生体の旋光特性測定装置である。【００１３】  特に、本発明では発明４によって無侵襲の生体の旋光特性測定装置を実現し、多大なる効果を奏することが出来た。【００１４】  前記発明４を展開してなされた本発明の例としての第５の発明（以下、発明５という）は、発明４に記載の生体の旋光特性測定装置において、前記レーザ光源からのレーザ光を偏光の方位を限定して前記偏波面保存光ファイバに入射させる光学系が、前記偏波面保存光ファイバの固有偏光軸に対して４５度の方位で前記レーザ光源からのレーザ光を前記偏波面保存光ファイバに入射さる光学系で、前記光源の波長変化率をΛ／Ｔ（ｎｍ／秒）、光源波長をλ（ｎｍ）、偏光面保存光ファイバのビート長をＢ、被検体としての生体の毎秒当たりの脈拍数をＮｐとしたとき、前記偏波面保存光ファイバの長さＬ（ｍ）が下記の（１ａ）式、
Ｌ＝ＮｐλＢＴ／（２Λ）・・・（１ａ）
で表わされる長さであり、前記生体の旋光特性測定装置が光源の波長変化の位相を脈拍に同期させて変化させて測定する測定系を有することを特徴とする生体の旋光特性測定装置である。【００１５】  前記発明４または５を展開してなされた本発明の例としての第６の発明（以下、発明６という）は、発明４または５に記載の生体の旋光特性測定装置において、前記レーザ光を直線偏光化し前記偏波面保存光ファイバの固有偏光軸に対し４５度の方位で入射させその伝搬光を生体に照射する光学システムとして構成し、前記光源の波長変化範囲をΛ（ｎｍ）、スキャン時間をＴ（秒）、光源の波長をλ（ｎｍ）、偏光面保存光ファイバのビート長をＢ、生体の脈拍周期をＴｐとするとき、Ｔｐの時間内に左円偏光状態と右円偏光状態間で変化するサイクル数が１，０００以上になるように前記偏波面保存光ファイバの長さＬ（ｍ）を下記の（２ａ）式、
Ｌ≧５００λＢ（Ｔ／Ｔｐ）／Λ・・・（２ａ）
で表わされる長さに設定してＴｐの区間ごとに出力の正弦波状の光変化の最大値と最小値をそれぞれ加算して円２色性を測定し生体の旋光特性を推定することができるように構成されていることを特徴とする生体の旋光特性測定装置である。【００１６】  前記発明４〜６を展開してなされた本発明の例としての第７の発明（以下、発明７という）は、発明４〜６のいずれか１項に記載の生体の旋光特性測定装置において、前記偏波面保存光ファイバの出射光を照射する生体配置部と前記生体からの透過光または反射光を受光する受光部との間に光ファイババンドルを配置したことを特徴とする生体の旋光特性測定装置である。【００１７】  前記発明４〜７を展開してなされた本発明の例としての第８の発明（以下、発明８という）は、発明４〜７のいずれか１項に記載の生体の旋光特性測定装置において、前記光源の出力をモニターするモニター部と、前記モニター部のモニター結果と前記生体からの透過光または反射光の受光結果との比をとる手段を設けたことを特徴とする生体の旋光特性測定装置である。
【発明の効果】
【００１８】  本発明の生体の旋光特性測定装置および生体の旋光特性測定方法は、採血しないで血糖値に関係した生体のグルコース濃度を測定できるので、第１に、針による採血に伴う煩わしさや苦痛がないこと、第２に、採血針の廃棄処理が不要で衛生的であること、第３に、採血の時に使用していたグルコースと反応する試薬が不要なので年間１０万円以上のランニングコストが不要になり経済的であること、第４に、簡単に測定できるので血糖値モニターが１日何回でもできるので糖尿病患者、その予備軍、健常者の健康管理などに使えるなど、大きな効果を発揮するものである。そして、本発明の生体の旋光特性測定装置および生体の旋光特性測定方法が一般家庭で使用されれば、現在世界的に増加している糖尿病患者数を減らすことができ、その治療に必要な費用を大幅に低減できる。
【図面の簡単な説明】
【００１９】
【図１】本発明の実施の形態例としての生体の旋光特性測定装置の基本構成図である。
【図２】本発明の他の実施の形態例としての生体の旋光特性測定装置の構成図である。
【図３】本発明の他の実施の形態例としての生体の旋光特性測定装置の反射型の例の構成図である。
【図４】本発明の他の実施の形態例としての生体の旋光特性測定装置の構成図である。
【発明を実施するための形態】
【００２０】  以下、図面を参照して本発明の実施の形態の例について説明する。
図１は本発明の実施の形態例における生体の旋光特性測定装置の基本構成図である。光源１から出射された直線偏光レーザ光は偏波面保存光ファイバ２の固有偏光軸に対し４５度の方位に入射され、その出射端に設置したレンズ３でコリメートされ、指などの生体４に入射される。生体４を伝搬したレーザ光は受光器７−１で受光され、電気信号に変換され、信号処理部８に導かれる。ここで光源１の出射部にタップ（分岐器）９を設置し、光源の出力を受光器７−２でモニターし、信号処理部８にその情報を伝達し、生体を透過して受光された受光器７−１の出力と比をとり、光源変動の影響を除去した。図１のレーザ光源１は制御装置の光源駆動制御信号処理部１０でその波長がスイープされる。受光器には電子冷却型のＡＰＤを用いた。
【００２１】  図２は本発明の他の実施の形態例を説明する図で、図１における生体４の出力光を多モード光ファイババンドル５を介して集光レンズ６で受光器７−１に導く構造にした例である。図３は本発明のさらに他の実施の形態例を説明する図で、照射用偏波保存光ファイバ２の周辺に多モードファイババンドル５を配置し、照射用偏波保存光ファイバ２からの光を照射された生体４からの反射光を受光し、多モード光ファイババンドル５の出射光をレンズ６で集光して受光器７−１に導くようにした構成を示す図である。図２、図３は原理的には図１と同じである。バンドル光ファイバはコア／クラッドの各直径が２００／２２０μｍの石英系多モード光ファイバを用い、その直径が１０ｍｍになるように俵積して製造した。
【００２２】  図１から図３において光源１の波長λをスキャンさせると偏波面保存光ファイバ２のビート長Ｂと長さＬで決まる周期でλ近傍でその出射光の偏光状態が右円偏光と左円
2011087876.tif 000003
2011087876.tif 000004
今時間Ｔ（秒）で光源波長をΛだけ変化させると偏光状態変化の周波数ｆは次式となる。
2011087876.tif 000005
（１）式を代入すると
ｆ＝（２ΛＬ）／（λＢＴ）・・・・・（３）
となる。
ここで脈拍の周波数をＮｐとしｆがＮｐと等しくなる条件より偏波面保存光ファイバ２の長さＬを算出すると次式となる。
Ｌ＝ＮｐλＢＴ／（２Λ）・・・・・・（４）
【００２３】  ここでレーザ光源１の波長は７８０ｎｍ、偏波面保存光ファイバ２のビート長Ｂは１．５ｍｍのものを用いた。この波長帯は赤外光のなかでも比較的生体の透過率が高い領域である。使用した偏波面保存光ファイバは市販のパンダファイバを用いた。このように設定すると光ファイバ２の長さが１．２ｍと６ｍの場合には、出射光の波長周期はそれぞれ０．５ｎｍ、０．１ｎｍとなる。今生体の脈拍Ｎｐが１／秒であるとすると、光ファイバ２の長さが１．２ｍと６ｍの場合には、Λ／Ｔ（ｎｍ／秒）はそれぞれ０．５（ｎｍ／秒）と０．１（ｎｍ／秒）になる。現在市販されている波長可変光源ではこれらは十分実現可能である。ここではレーザ光源の波長を温度を変える方法を採用した。
光源の波長は１度Ｃの温度上昇でおよそ０．１ｎｍ程度長波長側に変化する。したがって３０秒間で温度を１０度上げると発振波長が３ｎｍ程度増大する方向に変化し１秒間で０．１ｎｍ変化することになる。
【００２４】  グルコースなどの糖質を有する検体を直線偏光が伝搬すると偏光軸が回転する。このことは検体を伝搬する左右円偏光の位相に差がでるということである。位相は屈折率の実数部に対応する。屈折率の虚数部は減衰量に対応する。これらはクラマースクローニッヒの関係で結ばれている。したがって、検体を伝搬する左右円偏光に減衰量の差が生じる（円２色性といわれる）ので、図１と図２の測定系ではこのように波長を変化させると生体の円２色性によって受光パワーがｆの周期で変化することになる。信号処理部８は、検出光と光源出力モニター光との比をとったり正弦波状に変化する生体出力光の最大値と最小値を加算演算する機能を有する
【００２５】  ここで、生体に左右円偏光を入射する方法には偏波面保存ファイバ２の出力側に波長板を置いてそれを回転させてもよいが、入射光の角度が微妙に変化するため左右円偏光の生体の減衰量の微小な差の検出の誤差になる。この点本発明では入射ファイバの先端の光学系は固定にしてある。なお生体からの反射光がレーザに戻らないように光源部には光アイソレータを用いた。
【００２６】  図３は本発明のさらに他の実施の形態例としての反射型の生体の旋光特性測定装置の例の構成図で、生体からの反射光を検出する構成になっている。一般に左右円偏光は透過と反射で逆転するので一般的には相殺されて円２色性の観測はできないとされている。しかし生体での散乱が一様ではないためわずかではあるが円２色性が観測できる。
反射型の生体の旋光特性測定装置は皮膚などにレーザ光を当てるだけでよいのでセンサーの実装が簡単で使い方も簡単になる。
【００２７】  図４は本発明のさらに他の実施の形態例としての生体の旋光特性測定装置の構成図で、生体からの脈拍をモニターする生体脈拍検出装置１１を用いた測定系を示している。脈拍に同期して生体の血管の太さが変化するので円２色性の大きさが脈拍に同期して変化する。脈拍に同期して波長をスイープさせれば、常に脈拍に同期した円２色性が測定でき、ランダムノイズを除去することができ、高いＳ／Ｎで円２色性を測定できる。前記発明２、発明５には偏波面保存光ファイバの固有偏光軸に対して４５度の直線偏光を入射し、その波長を変えることが記載されているが、実施例では例えば７８０ｎｍで出力が右円偏光になるように光ファイバの長さを正確に調整した。すなわち、脈拍に同期してスイープするその開始の波長を設定した。現行の波長可変レーザの波長精度は１０ｐｍ程度あるので、毎秒０．１ｎｍを精度よくスイープさせるのは容易である。したがって、３０秒程度計測すればおよそ３０周期分のデータが取得できるので平均化することによって測定精度が上げられる。光源駆動制御信号処理部１０は脈拍をモニターする装置１１の信号に同期して光源を駆動する電子回路である。
【００２８】  本発明のさらに他の実施の形態例として、脈拍による円２色性の変化の影響を避けるために脈拍の１周期の中で一つの計測を終了させる方法がある。この条件を限定したのが発明３、発明６である。前述と同様に偏波面保存光ファイバ２のビート長Ｂ＝１．５ｍｍ、波長＝７８０ｎｍで考えると、ファイバ長Ｌ＝６ｍの場合には脈拍Ｔｐ＝１秒とするとＴ＝１秒間の波長変化Λ＝１００ｎｍとすると１秒間に左右円偏光の変化のサイクルが１，０００となる。この１００ｎｍ／秒の波長変化率は現行の波長可変レーザの最速のスイープ速度の部類である。もしＴ＝１０秒、Λ＝１００ｎｍとし、Ｌ＝６０ｍとすると、１脈拍の時間内で同様に１，０００周期が得られる。このようにして測定すると、１，０００回の平均が得られるのでランダムなノイズをかなり低く抑えることができ、Ｓ／Ｎのよい計測ができる。
【００２９】  グルコースの旋光分散（波長特性）は可視から紫外域が大きいので、波長変換器を用い出力が３０ｍＷ程度の波長８００ｎｍの狭線幅レーザを出力が２ｍＷ程度の波長４００ｎｍのレーザに変換しそれを光源に使う方法もある。８００ｎｍの光源の波長は温度を変えて変化させる。
【００３０】  本発明の生体旋光特性装置を用いて被検者の測定部位を決めて測定を繰り返した結果と従来の採血方式による血糖値とその測定値の比較を繰り返した結果から検量テーブルを作成すれば、本発明の方法で血糖値が推定できる。
【００３１】  以上、いくつかの例をあげて本発明を説明したが、本発明はこれに狭く限定されるものでなく、本発明の前記技術思想に則って多くのバリエーションを可能とするものである。
【産業上の利用可能性】
【００３２】  以上説明したように、本発明によって、これまで実現されていなかった無侵襲の血糖値測定が可能になる。その結果、糖尿病患者は１日に数回の採血の煩わしさから介抱される。また、本発明から導かれる血糖値測定器を予防保全的に活用することにより現在世界的に増加している糖尿病患者数を減らすことができ、その治療に必要な費用を大幅に低減できる。本発明により無侵襲の血糖値測定装置を提供でき、医療機器や健康機器などとして広く用いることができ、本発明は、介護を含め、健康機器、医療機器分野などの発展に大きく寄与できるものである。
【符号の説明】
【００３３】  １：波長可変光源（ＳＬＤ，ＡＳＥ）
２：偏波面保存光ファイバ
３，６：レンズ
４：被検体としての生体
５：多モード光ファイババンドル
７−１，７−２：受光器
８：信号処理回路
９：光タップ
１０：光源駆動制御信号処理部
１１：生体脈拍検出装置
【図１】
2011087876.tif 000006
【図２】
2011087876.tif 000007
【図３】
2011087876.tif 000008
【図４】
2011087876.tif 000009